(57)【要約】本発明は異種の内容物の排出構造を備えるポンピング式化粧品容器及びその製造方法に関することで、一つの容器本体内に上、下に異種の内容物を各々収容するようにすることで、化粧品容器のスリム化が可能になり携帯が容易なだけでなく、化粧時順次的にすべて使用すべき製品群に対してセット化が可能になるので、使用者に便宜を提供することができることが特徴である。【選択図】図３
2015515290.tif 000002
【特許請求の範囲】
【請求項１】
異種の内容物が上、下に分離されて収容される容器本体と；
前記容器本体の内側中央部で相互対向される方向へ移動するように位置する第１，２ピストンと；
前記容器本体の上端と下端に各々結合されてポンピング作用を通じ容器本体に収容された異種の内容物を各々排出させる第１，２ポンピング部材と；及び
前記第１，２ポンピング部材に各々結合されて第１，２ポンピング部材を加圧し、内容物が排出される排出孔が形成される第１，２ボタン部と；を含むことを特徴とする異種内容物の排出構造を備えるポンピング式化粧品容器。
【請求項２】
前記容器本体の内側には前記第１，２ピストンが安着されるように内周面を取り巻いて安着突出部が形成されることを特徴とする請求項１に記載の異種内容物の排出構造を備えるポンピング式化粧品容器。
【請求項３】
前記容器本体の側面中央部には空気の移動が可能なように空気孔が形成されることを特徴とする請求項２に記載の異種内容物の排出構造を備えるポンピング式化粧品容器。
【請求項４】
前記空気孔は前記容器本体の側面で前記安着突出部が形成された部分へ貫通形成され、内容物の使用により第１，２ピストン中の１つが昇降するように構成されることを特徴とする請求項３に記載の異種内容物の排出構造を備えるポンピング式化粧品容器。
【請求項５】
上端と下端が開放となる円筒形で形成され、内側中央部には内周面を取り巻いて安着突出部が突出形成されて、外側中央部には前記安着突出部方向へ空気孔が貫通形成される容器本体を製造する容器本体製造段階；
前記容器本体の開放された上端と下端を通じて第１，２ピストンを各々挿入するピストン挿入段階；
前記容器本体の開放された上端と下端を通じて第１，２内容物を各々充填する内容物充填段階；
前記容器本体の上端と下端にポンピング作用を通じて第１，２内容物を外部に排出する第１，２ポンピング部材を結合するポンピング部材結合段階；
前記第１，２ポンピング部材の上部に第１，２ボタン部を各々結合するボタン部結合段階；を含むことを特徴とする異種内容物の排出構造を備えるポンピング式化粧品容器の製造方法。
【請求項６】
請求項１において、前記ピストン挿入段階で容器本体に挿入される第１，２ピストンは相互対向するように挿入され、上記安着突出部の一端と他端に各々安着された状態で相互離隔されて位置することを特徴とする異種内容物の排出構造を備えるポンピング式化粧品容器の製造方法。
【発明の詳細な説明】
【技術分野】
【０００１】
本発明は異種内容物の排出構造を備えるポンピング式化粧品容器及びその製造方法に関することで、より詳細には一つの容器本体内に上、下に異種の内容物を各々収容するようにすることで、化粧品容器のスリム化が可能になり、携帯が容易なだけでなく、化粧時順次的にすべて使用すべき製品群に対してセット化が可能になるので、使用者便宜を提供できる異種内容物の排出構造を備えるポンピング式化粧品容器及びその製造方法に関することである。
【背景技術】
【０００２】
一般的に、ポンピング式化粧品容器は、容器本体の上部に結合されるポンピング部材のポンピング作用を通じて内容物が外部へ排出されるように構成されることであり、内容物が収容される容器本体と、上記容器本体の上部に結合され容器本体の内部を真空状態にさせて、ポンピング作用により内容物を引き上げるポンピング部材と、上記容器本体の内部に収容されポンピング部材の作動により昇降されるピストンとで構成される。
【０００３】
上記のようなポンピング式化粧品容器には、美白のための内容物あるいはしわ除去のための内容物など皮膚美容の目的により、容器本体の内部に多様な内容物が各々収容されるよう構成されるが、多様な内容物が別途の化粧品容器に各々収容され販売されるために、ユーザーが皮膚美容の目的により該当内容物が収容された化粧品容器を各々購入する必要があるので、化粧品容器の体積により保管が難しくてこれをバッグに携帯することが容易でない問題点があった。
【０００４】
また、外出時に化粧のため、多数の化粧品容器を携帯するこが、スキン、ローションなどのように、化粧時順次的にすべて使用する製品にもかかわらず、ユーザーの不注意でいずれの１つを抜いて携帯されることにより、円滑な化粧が難しいだけでなく、毎度使用ごとに用途に合わせて多数の化粧品容器をいちいち確認して使用することになり、ユーザーに煩わしさをもたらすようになる問題点があった。
【発明の開示】
【発明が解決しようとする課題】
【０００５】
本発明は上述した問題点を解決するため案出されたことで、本発明の目的は一つの容器本体内に上、下に異種の内容物を各々収容するようにすることで、化粧品容器のスリム化が可能になり、携帯が容易なだけでなく、化粧時順次的にすべて使用すべき製品群に対してセット化が可能になるので、使用者に便宜を提供することができる異種内容物の排出構造を備えるポンピング式化粧品容器及びその製造方法を提供することである。
【課題を解決するための手段】
【０００６】
上記のような問題点を解決するために、本発明による異種内容物の排出構造を備えるポンピング式化粧品容器は、異種の内容物が上、下に分離されて収容される容器本体と；上記容器本体の内側中央部で相互に対向される方向に移動するように位置する第１，２ピストンと；上記容器本体の上端と下端に各々結合されてポンピング作用を通じて容器本体に収容された異種の内容物を各々排出させる第１，２ポンピング部材と；及び上記第１，２ポンピング部材に各々結合され第１，２ポンピング部材を加圧しながら、内容物が排出される排出孔が形成される第１，２ボタン部と；を含むことを特徴とする。
【０００７】
また、上記容器本体の内側には上記第１，２ピストンが安着されるよう内周面を取り巻いて安着突出部が形成されることを特徴とする。
【０００８】
また、上記容器本体の側面中央部には空気の移動が可能なように空気孔が形成されることを特徴とする。
【０００９】
また、上記空気孔は上記容器本体の側面でから上記安着突出部が形成された部分に貫通形成され、内容物の使用により第１，２ピストン中の１つが昇降されるように構成されることを特徴とする。
【００１０】
一方、本発明による異種内容物の排出構造を備えるポンピング式化粧品容器の製造方法は、上端と下端が開放となる円筒形で形成され、内側中央部には内周面を取り巻いて安着突出部が突出形成され、外側中央部には上記安着突出部方向へ空気孔が貫通形成される容器本体を製造する容器本体製造段階と；上記容器本体の開放された上端と下端を通じて第１，２ピストンを各々挿入するピストン挿入段階と；上記容器本体の開放された上端と下端を通じて第１，２内容物を各々充填する内容物充填段階と；上記容器本体の上端と下端にポンピング作用を通じて第１，２内容物を外部に排出する第１，２ポンピング部材を結合するポンピング部材の結合段階と；上記第１，２ポンピング部材の上部に第１，２ボタン部を各々結合するボタン部の結合段階と；を含むことを特徴とする。
【００１１】
また、上記ピストンの挿入段階で容器本体に挿入される第１，２ピストンは相互対向するように挿入され、上記安着突出部の一端と他端に各々安着された状態で相互離隔して位置することを特徴とする。
【発明の効果】
【００１２】
以上、上述したように本発明によると一つの容器本体内に上、下に異種の内容物を各々収容するようにすることで、化粧品容器のスリム化が可能になり携帯が容易なだけでなく、化粧時順次的にすべて使用すべき製品群に対してセット化が可能になり、使用者に便宜を提供することができる長所がある。
【図面の簡単な説明】
【００１３】
【図１】本発明の好ましい実施例による異種内容物の排出構造を備えるポンピング式化粧品容器の構成を示す分解斜視図。
【図２】本発明の好ましい実施例による異種内容物の排出構造を備えるポンピング式化粧品容器の構成を示す斜視図。
【図３】本発明の好ましい実施例による異種内容物の排出構造を備えるポンピング式化粧品容器の構成を示す断面図。
【図４】本発明の好ましい実施例による異種内容物の排出構造を備えるポンピング式化粧品容器の使用状態を示す状態図。
【図５】本発明の好ましい実施例による異種内容物の排出構造を備えるポンピング式化粧品容器の製造過程を示す説明図。
【発明を実施するための形態】
【００１４】
以下図面を参照して本発明を詳細に説明する。各図面に提示された同一な参照符号は同一な部材を示す。
【００１５】
図１は本発明の好ましい実施例による異種内容物の排出構造を備えるポンピング式化粧品容器の構成を示す分解斜視図であり、図２は本発明の好ましい実施例による異種内容物の排出構造を備えるポンピング式化粧品容器の構成を示す斜視図である。
【００１６】
図３は本発明の好ましい実施例による異種内容物の排出構造を備えるポンピング式化粧品容器の構成を示す断面図であり、図４は本発明の好ましい実施例による異種内容物の排出構造を備えるポンピング式化粧品容器の使用状態を示す状態図である。
【００１７】
図１ないし図４を参照すると、本発明の好ましい実施例による異種内容物の排出構造を備えるポンピング式化粧品容器は容器本体（１００）、第１，２ピストン（２００，２００’）、第１，２ポンピング部材（３００，３００’）、第１，２ボタン部（４００，４００’）が含まれる。
【００１８】
上記容器本体（１００）は上端と下端が開放となる所定長さの円筒形で形成されることで、本発明において、上記容器本体（１００）には異種の内容物が上、下に分離されて収容されることが可能なように容器本体（１００）の内側中央部に安着突出部（１１０）が形成されるのが特徴である。
【００１９】
上記安着突出部（１１０）は上記容器本体（１００）の内側中央部で容器本体（１００）の内周面を取り巻いて突出形成されることで、一端と他端に後述する第１，２ピストン（２００，２００’）が相互対向されるよう位置した状態で各々安着されるように構成され、これにより、容器本体（１００）内部空間の分割を通じる第１，２内容物（ａ、ａ’）の収容を可能にする。
【００２０】
一方、本発明において、上記容器本体（１００）の側面中央部には空気の移動が可能なよう空気孔（１２０）が形成されることが特徴で、上記空気孔（１２０）は上記容器本体（１００）の側面で上記安着突出部（１１０）が形成された部分へ貫通形成され、上記第１，２ピストン（２００，２００’）が形成する離隔空間に空気が流入するようにすることで、第１，２内容物（ａ、ａ’）の使用により第１，２ピストン（２００，２００’）中の１つが昇降されることを可能にする。
【００２１】
上記第１，２ピストン（２００，２００’）は上記容器本体（１００）の内側で内容物の使用により昇降されることで、本発明において、上記第１，２ピストン（２００，２００’）は上記容器本体（１００）の内側中央部で上記安着突出部（１１０）の一端と他端に相互対向方向に移動されるよう各々安装着されるのが特徴である。
【００２２】
上記第１，２ピストン（２００，２００’）は、上記安着突出部（１１０）により相互離隔された状態で空間を形成することで、容器本体（１００）に収容された第１，２内容物（ａ、ａ’）の使用時に上記空気孔（１２０）を通じて流入される空気により第１，２ピストン（２００，２００  ’）中いずれの一側ピストンが移動するように構成される。
【００２３】
上記第１，２ポンピング部材（３００，３００’）は上記容器本体（１００）の上端と下端に各々結合されてポンピング作用を通じて容器本体（１００）に収容された第１，２内容物（ａ、ａ’）を各々外部に排出させることで、容器本体（１００）から移動される内容物が流入されるよう第１，２内容物の流入孔（３１１，３１１）が形成される第１，２シリンダー（３１０，３１０’）が具備され、上記第１，２シリンダ（３１０，３１０’）の内側には上記第１，２の内容物の流入孔（３１１，３１１’）の上端に位置して内容物の逆流を防止する第１，２のチェックバルブ（３１２，３１２’）が具備される。上記第１，２ポンピング部材（３００，３００’）を構成するその他構成は本発明が属する技術分野では公知技術なので詳細な説明は省略することにする。
【００２４】
上記第１，２ボタン部（４００，４００’）は上記第１，２ポンピング部材（３００，３００’）の上部に各々結合され第１，２ポンピング部材（３００，３００’）を加圧してポンピング作用を可能にすることで、第１，２ポンピング部材（３００，３００’）のポンピング作用による内容物の排出が可能なように排出孔（４１０）が形成される。
【００２５】
以下では図５を参照して本発明の好ましい実施例による異種内容物の排出構造を備えるポンピング式化粧品容器の製造方法を説明することにする。
【００２６】
図５は本発明の好ましい実施例による異種内容物の排出構造を備えるポンピング式化粧品容器の製造過程を示す説明図である。
【００２７】
図５を参照すると、本発明の好ましい実施例による異種内容物の排出構造を備えるポンピング式化粧品容器の製造方法は、まず、上端と下端が開放となる円筒形で形成されたが、内側中央部には内周面を取り巻いて安着突出部（１１０）が突出形成され、外側中央部には上記安着突出部（１１０）方向へ空気孔（１２０）が貫通形成される容器本体（１００）を製造する。
【００２８】
次に、上記容器本体（１００）の開放された上端と下端を通じて第１，２ピストン（２００，２００’）を各々挿入する。このとき、上記第１，２ピストン（２００、２００’）は相互対向されるように挿入され、上記安着突出部（１１０）の一端と他端に各々安着された状態に相互離隔され位置することが好ましい。
【００２９】
上記のように、容器本体（１００）の内部に第１，２ピストン（２００，２００’）の挿入が完了されると、上記容器本体（１００）の開放された上端と下端を通じて第１，２内容物（ａ、ａ’）を各々充填することになり、第１，２内容物（ａ、ａ’）の充填が完了されると、上記容器本体（１００）の上端と下端にポンピング作用を通じて第１，２内容物（ａ、ａ’）を外部へ排出する第１，２ポンピング部材（３００，３００’）を結合する。
【００３０】
次に、容器本体（１００）に第１，２ポンピング部材（３００，３００’）の結合が完了されると上記第１，２ポンピング部材（３００，３００’）の上部に第１，２ポンピング部材（３００，３００’）を加圧してポンピング作用を可能にする第１，２ボタン部（４００，４００’）を各々結合する。
【００３１】
上記では容器本体（１００）の内部に第１，２ピストン（２００，２００’）を挿入した後、第１，２内容物（ａ、ａ’）を充填することで説明したが、実質的な工程では第１ピストン（２００）を挿入して第１内容物（ａ）を充填させた後、第１ポンピング部材（３００）及び第１ボタン部（４００）を結合して一側部分に対する工程を完了した後、他側部分に対する工程が成されることは自明であることである。
【００３２】
前述したように、本発明は容器本体（１００）の内側中央部に安着突出部（１１０）を形成し、第１，２内容物（ａ、ａ’）の使用により昇降される第１，２ピストン（２００，２００’）が容器本体（１００）の外側中央部に形成される空気孔（１２０）により相互反対方向に移動するよう構成することで、簡単な構造を通じて容器本体をスリム化させ携帯が容易なだけでなく、化粧時に共に使用される製品群に対してセット化し使用者に便宜を提供することができるようになる。
【００３３】
図面と明細書で最適実施例らが開示された。ここで特定の用語らが用いたが、これは単に本発明を説明するための目的で用いたのであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は添付された特許請求の範囲の技術的思想によって定められるべきである。
【図１】
2015515290.tif 000003
【図２】
2015515290.tif 000004
【図３】
2015515290.tif 000005
【図４】
2015515290.tif 000006
【図５】
2015515290.tif 000007
【国際調査報告】
2015515290.tif 000008
2015515290.tif 000009
2015515290.tif 000010
2015515290.tif 000011